(57)【要約】　　　（修正有）【課題】ディスプレイ装置の組立時間及び分解時間を短縮し，外見デザインのスリム化及びコンパクト化を実現する。【解決手段】ＬＣＤパネル３０と，前記ＬＣＤパネルの前方縁部を遮断する前方カバー１０と，前記ＬＣＤパネルを間に挟んで前記前方カバーと結合されるパネル支持部材４０と，前記パネル支持部材の後方で前記前方カバーと結合される後方カバー２０と，を有するディスプレイ装置において，前記前方カバーから後方に突設され，フック係止部が形成された第１結合片１５と；開口部が形成され，前記第１結合片のフック係止部と係止されるフックを有する補強プレート８０と；前記パネル支持部材に形成され，前記補強プレートの開口部に係止される係止突起４１を有するフランジと；を含む。【選択図】　　図２
2004013152.tif 000002
【特許請求の範囲】
【請求項１】
ＬＣＤパネルと，前記ＬＣＤパネルの前方縁部を遮断する前方カバーと，前記ＬＣＤパネルを間に挟んで前記前方カバーと結合されるパネル支持部材と，前記パネル支持部材の後方で前記前方カバーと結合される後方カバーと，を有するディスプレイ装置において，
前記前方カバーから後方に突設され，フック係止部が形成された第１結合片と；
開口部が形成され，前記第１結合片のフック係止部と係止されるフックを有する補強プレートと；
前記パネル支持部材に形成され，前記補強プレートの開口部に係止される係止突起を有するフランジと；を含む
ことを特徴とするディスプレイ装置。
【請求項２】
前記補強プレートは，導電体からなる，ことを特徴とする請求項１に記載のディスプレイ装置。
【請求項３】
前記補強プレートは，さらに
前記前方カバーの背面に接触する第１面と，前記パネル支持部材と接触する第２面と，を有する接地部と；
前記接地部の一方から前記第１結合片の板面方向に折曲されて延在する補強部と；
前記補強部の両方に形成される結合リブと；を含み，かつ，
前記フック及び前記開口部は，前記補強部に形成される，
ことを特徴とする請求項１に記載のディスプレイ装置。
【請求項４】
前記第１結合片は，さらに，前記補強プレートの前記結合リブを受容して，前記補強プレートの離脱を防止するリブ受容部を含む，
ことを特徴とする請求項３に記載のディスプレイ装置。
【請求項５】
前記係止突起は，前記フランジをプレス加工して形成されたスナップフックからなる，
ことを特徴とする請求項１に記載のディスプレイ装置。
【請求項６】
前記パネル支持部材は，前記ＬＣＤパネルを密着支持する支持突起を含む，ことを特徴とする請求項１に記載のディスプレイ装置。
【請求項７】
前記パネル支持部材には，前記ＬＣＤパネルと電気的な信号を交換するＰＣＢ組立体を受容する所定の受容空間が形成されている，
ことを特徴とする請求項１に記載のディスプレイ装置。
【請求項８】
さらに，
前記第１結合片と離隔されて配置され，前記前方カバーから後方方向に延在する，係止部が形成された第２結合片と，
前記後方カバーに形成され，前記第２結合片の係止部に係止される係止フックと，を含む，
ことを特徴とする請求項１に記載のディスプレイ装置。
【発明の詳細な説明】
【０００１】
【発明の属する技術分野】
本発明は，ディスプレイ装置に関し，さらに詳細には，ＬＣＤパネルを支持するパネル支持部材，前方カバー及び後方カバーを改善したディスプレイ装置に関する。
【０００２】
【従来の技術】
従来のディスプレイ装置は，図７及び図８に示すように，内部に所定の受容空間が形成されるように前後方に結合される前方カバー１１２及び後方カバー１２７と，画像が表示される有効面を有するＬＣＤパネル１４０と，ＬＣＤパネル１４０を支持するパネル支持部材１４２と，ＬＣＤパネル１４０に電気的な信号を伝達するようにＰＣＢカバー１４６により支持されるＰＣＢ組立体１４４と，を有する（例えば，特許文献１，２，３，４，５，６，７参照）。
【０００３】
前方カバー１１２は，ＬＣＤパネル１４０の有効面が外部に露出されるように板面に表示窓１１６が形成された前面部１１４と，前面部１１４の各辺から後方カバー１２７の方向に折曲されたスカート部１１７と，を含む。
【０００４】
前方カバー１１２の背面には，後方カバー１２７に形成された第１スクリュー孔１３３を介して第１スクリュー１３５が締結されるように，内部にねじ山が形成された複数の第１突出ボス１１８が設けられている。また，各第１突出ボス１１８と離隔した位置には，パネル支持部材１４２の側面フランジ１４３に形成された第２スクリュー孔１４５を介して挿入される第２スクリュー１４１が締結されるように，第１突出ボスのように内部にねじ山が形成された複数の第２突出ボス１２０が形成されている。
【０００５】
上記構成を有する従来のディスプレイ装置を組立てる過程は以下の通りである。
【０００６】
まず，ＬＣＤパネル１４０の有効面が前方カバー１１２の方向に向けてＬＣＤパネル１４０をパネル支持部材１４２に結合した後，パネル支持部材１４２の各側面フランジ部１４３に形成された第２スクリュー孔１４５と，前方カバー１１２の背面に形成された第２突出ボス１２０と，を相互に連通させる。次に，第２スクリュー１４１を第２スクリュー孔１４５に挿入して第２突出ボス１２０と締結することにより，前方カバー１１２にＬＣＤパネル１４０が装着されるパネル支持部材１４２の結合が完了する。
【０００７】
前方カバー１１２とパネル支持部材１４２との結合後，ＰＣＢ組立体１４４をパネル支持部材１４２の背面に設置し，ＰＣＢ組立体１４４とＬＣＤパネル１４０とを相互に電気的に連結した後，ＰＣＢ組立体１４４をＰＣＢカバー１４６で覆って支持する。
【０００８】
次いで，後方カバー１２７に形成された第１スクリュー孔１３３が前方カバー１１２に形成された第１突出ボス１１８と相互に連通されるように後方カバー１２７を配置し，後方カバー１２７の背後で第１スクリュー孔１３３を介して第１スクリュー１３５を第１突出ボス１１８に締結する。
【０００９】
以上により，従来のディスプレイ装置の組立てが完了する。
【００１０】
【特許文献１】
韓国実用新案登録第２０−０１４２０７２号明細書
【特許文献２】
韓国実用新案登録第２０−０２８５９４４号明細書
【特許文献３】
韓国特許第１０−０１７６１８５号明細書
【特許文献４】
韓国特許第１０−０３２２８９３号明細書
【特許文献５】
韓国特許出願公開第２００１−０１０８９０８号明細書
【特許文献６】
米国特許第５，１４６，３９０号明細書
【特許文献７】
米国特許第６，２５６，０７５号明細書
【００１１】
【発明が解決しようとする課題】
しかしながら，このような従来のディスプレイ装置は，前方カバー１１２にパネル支持部材１４２を取り付ける工程だけでなく，前方カバー１１２と後方カバー１２７とを相互に取り付ける工程が全てスクリュー締結方式を採用しているので，ディスプレイ装置の組立が容易でない，という問題がある。また，ＰＣＢ組立体１４４を受容するＰＣＢカバー１４６がパネル支持部材１４２と分離されているので，組立時間に長時間要するばかりでなく，材料のコストアップにつながる，という問題がある。
【００１２】
また，前方カバー１１２にパネル支持部材１４２を取り付けるために，パネル支持部材１４２に別途の側面フランジ１４３を形成しなければならない。また，側面フランジ１４３を受容するための空間を確保するため，前方カバー１１２に不要な空間（前面部１１４の面積Ｂ）を確保しなければならない。さらに，ＰＣＢ本体で発生する電磁波を十分に遮断することができないので，人体に好ましくない影響を与える，という問題もある。
【００１３】
したがって，本発明の目的は，組立時間及び分解時間を短縮することができ，外見デザインのスリム化及びコンパクト化を実現することが可能な新規かつ改良されたディスプレイ装置を提供することにある。
【００１４】
さらに，本発明の他の目的は，ＥＭＩ（Ｅｌｅｃｔｒｏｍａｇｎｅｔｉｃ　Ｉｎｔｅｒｆｅｒｅｎｃｅ）遮断効果を高めることが可能な新規かつ改良されたディスプレイ装置を提供する。
【００１５】
【課題を解決するための手段】
上記課題を解決するため，本発明の主たる観点によれば，ＬＣＤパネルと，前記ＬＣＤパネルの前方縁部を遮断する前方カバーと，前記ＬＣＤパネルを間に挟んで前記前方カバーと結合されるパネル支持部材と，前記パネル支持部材の後方で前記前方カバーと結合される後方カバーと，を有するディスプレイ装置において，前記前方カバーから後方に突設され，フック係止部が形成された第１結合片と；開口部が形成され，前記第１結合片のフック係止部と係止されるフックを有する補強プレートと；前記パネル支持部材に形成され，前記補強プレートの開口部に係止される係止突起を有するフランジと；を含むことを特徴とするディスプレイ装置が提供される。
【００１６】
上記記載の発明では，組立時間及び分解時間を短縮することが可能なディスプレイ装置が提供される。また，外見のスリム化及びコンパクト化を実現することができる。さらに，ＥＭＩ効果を高め，寿命を延長することができる。
【００１７】
また，前記補強プレートは，導電体からなる，如く構成すれば，ディスプレイ装置から発生する電磁波を遮断してＥＭＩ遮断効果を有するディスプレイ装置を提供することができる。
【００１８】
したがって，前記補強プレートは，前記前方カバーの背面に接触する第１面と，前記パネル支持部材と接触する第２面と，を有する接地部と；前記接地部の一方から前記第１結合片の板面方向に折曲されて延在する補強部と；前記補強部の両方に形成される結合リブと；をさらに含み，前記フック及び前記開口部は，前記補強部に形成される，如く構成するのが好ましい。
【００１９】
また，前記第１結合片は，前記補強プレートの前記結合リブを受容して，前記補強プレートの離脱を防止するリブ受容部をさらに含む，如く構成すれば，パネル支持部材を効果的に補強することができる。
【００２０】
また，前記係止突起は，前記フランジをプレス加工して形成されたスナップフックからなる，如く構成するのが好ましい。
【００２１】
また，前記パネル支持部材は，前記ＬＣＤパネルを密着支持する支持突起を含む，如く構成すれば，ＬＣＤパネルの揺動を防止することができ，ＬＣＤパネルと電気的な信号を交換するＰＣＢ組立体を受容する所定の受容空間をパネル支持部材に形成して組立及び分解時間を短縮することができる。
【００２２】
また，前記第１結合片と離隔されて配置され，前記前方カバーから後方方向に延在されて，係止部が形成された第２結合片と，前記後方カバーに形成され，前記第２結合片の係止部に係止される係止フックと，をさらに含む如く構成するのが好ましい。
【００２３】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施の形態）
まず，図１〜図５に基づいて，本実施形態にかかるディスプレイ装置の構成について説明する。なお，図１は，本実施形態にかかるディスプレイ装置の構成を示す斜視図である。図２は，本実施形態にかかるディスプレイ装置の構成を示す分解斜視図である。図３は，本実施形態にかかるディスプレイ装置の前方カバーとパネル支持部材との間の拡大斜視図である。
【００２５】
本実施形態にかかるディスプレイ装置は，図１〜図３に示すように，ＬＣＤパネル３０と，ＬＣＤパネル３０と電気的に信号を交換するＰＣＢ組立体６０と，ＬＣＤパネル３０の前方端部を遮断する前方カバー１０と，ＬＣＤパネル３０及びＰＣＢ組立体６０を間に挟んで前方カバー１０と結合されるパネル支持部材４０と，パネル支持部材４０の後方に配置されて前方カバー１０と結合される後方カバー２０と，以上の構成部材１０，２０，３０，４０，６０からなる組立体を支持スタンド７０と，を有する。
【００２６】
ＬＣＤパネル３０は，ＰＣＢ組立体６０に印加された電圧が液晶分子の配列を散乱して偏光を起こして画像を表示する装置と言う。以下では，後述する前方カバー１０の前面に露出されて画像が表示されるＬＣＤパネル３０の前面を有効面といい，別途の参照符号は省略する。
【００２７】
前方カバー１０は，ＬＣＤパネル３０の有効面が外部に露出されるように板面に表示窓１１が形成された前面部１２と，前面部１２の各辺から後方カバー２０の方向に折曲されたスカート部１３と，を含む。ここで，前面部１２は，有効面の縁部を部分的に遮断する。
【００２８】
前方カバー１０の背面には，板面から後述するパネル支持部材４０の方向に延在する複数の第１結合片１５と，板面から後方カバー２７の方向に延在する第２結合片１７と，を有する。
【００２９】
第１結合片１５には，後述する補強プレート８０のフック８２と係止されるフック係止部１５ａが形成されており，第１結合片１５の延在方向に対する垂直方向の端部両側には，補強プレート８０の離脱を防止するため補強プレート８０の結合リブ８３を受容するリブ受容部１５ｂが設置されている。また，本実施形態でフック係止部１５ａは，第１結合片１５の延在方向に対して垂直に貫通する貫通孔からなる。かかるフック係止部１５ａは，単に一実施形態として例示したに過ぎず，補強プレート８０のフック８２と係止できる形態ならばいかなる形態であってもよい。
【００３０】
補強プレート８０は，前方カバー１０と接触する接地部８５と，接地部８５端部の一方から前記第１結合片１５の板面方向に折曲されて延在し，板面に開口部８４が形成された補強部８１と，補強部８１の両方端部から延在し，上記リブ受容部１５ｂに受容されて，補強プレート８０の離脱を防止する結合リブ８３と，を有する。
【００３１】
補強部８１は，上記第１結合片１５の板面に形成されたフック係止部１５ａに挿入されるフック８２を有しているので，補強プレート８０の垂直離脱及び第１結合片１５の損傷を防止することができる。また，補強部８１自体を導電体で形成して，後述するパネル支持部材４０を接地させているので，ＰＣＢ本体で発生する電磁波を遮断するＥＭＩ遮断効果も得ることができる。
【００３２】
接地部８５の一方は前方カバー１０の背面と接触し，接地部８５の他方はパネル支持部材４０と接触する。ここで，接地部８５も補強部８１と同様に導電体で形成すれば，ＥＭＩ遮断効果をさらに高めることができる。
【００３３】
即ち，補強プレート８０は，第１結合片１５と結合して第１結合片１５の強度を高めると同時に，さらに電磁波を遮断してＥＭＩ遮断効果を高めることができる。
【００３４】
上記ＬＣＤパネル３０を間に挟んで前方カバー１０と結合されるパネル支持部材４０は，前方方向に折曲されたフランジ部４３と，フランジ部４３に形成されて上記補強プレート８０の開口部８４に係止される係止突起４１と，を含み，ＬＣＤパネル３０を受容する所定のパネル受容空間４５が形成されている。
【００３５】
ここで，パネル受容空間４５の後方に，ＰＣＢ組立体６０を受容する受容空間４７がさらに形成されているので，ＬＣＤパネル３０との信号伝達を容易にすると共に，組立や分解を迅速に行うことができる。また，ＬＣＤパネル３０と対向するパネル支持部材４０の板面に支持突起４９が設置されているので，ＬＣＤパネル３０を密着支持することができ，ＬＣＤパネル３０の揺動を最小限に抑えることができる。
【００３６】
係止突起４１は，フランジ部４３の内側から外側にプレス加工したスナップフックからなり，上記補強プレート８０の開口部８４と容易に着脱できるようにすることが好ましい。
【００３７】
第２結合片１７は，前方カバー１０の縁部方向に沿って複数が配置され，各２結合片１７の板面には，後述する後方カバー２０の係止リブ２１が係止される係止部１９が形成されている。
【００３８】
ここで，第１結合片１５及び第２結合片１７は，前面部１２の背面とスカート部１３とが相互に当接する領域に形成することにより，前面部１２の面積（Ａ）を縮小することが好ましい。また，前方カバー１０を射出成形物で製造する場合，第１結合片１５及び第２結合片１７をスカート部１３の内面に形成して，その強度を維持することが好ましい。
【００３９】
支持突起４９は，パネル支持部材４０の板面をプレス加工して容易に形成することができ，ＬＣＤパネル３０のサイズに応じて好適に形成することができる。また，図４に示すように，支持突起４９を弾性体（スプリング）から形成しても同様の効果を得ることができる。
【００４０】
本実施形態にかかる後方カバー２０は，前方カバー１０と結合して，ディスプレイ装置の外見を形成する。後方カバー２０は，図５に示すように，ＰＣＢ組立体６０を冷却するために，その背面に形成された所定の空気流入スロット２３と，各種の補助装置及び連結配線が通過する端子受容部（図示せず）と，を有する。また，内側板面の縁部には，前方カバー１０の第２結合片１７に形成された係止部１９と係止される係止フック２１が形成されている。
【００４１】
係止フック２１は，各第２結合片１７が形成された位置に対応するように後方カバー２０の板面に複数が形成され，前方カバー１０と後方カバー２０とを相互に結合する際に，第２結合片１７の係止部１９に容易に係止されるように，一方面が傾斜した傾斜状をしている。また，第２結合片１７と係止フック２１とにより相互結合される前方カバー１０と後方カバー２０は，相互に離脱することを防止するため，各縁部面が整合される。
【００４２】
係止フック２１が形成された位置の後方カバー２０の板面には，第２結合片１７と係止フック２１との相互係止状態を解除するための解除貫通孔２９が形成されている。また，解除貫通孔２９は例えばドライバなどの比較的長い工具を挿入できるようにすることが好ましい。
【００４３】
なお，図６に示すように，第２結合片１７及び第１結合片１５の位置を互いに変更しても，同様に実施することができる。
【００４４】
以上で説明した本実施形態にかかる構成部材の結合方法及び分解方法について，図１〜図５に基づいて，以下に説明する。ここで，一般的に理解可能な構成部材の結合方法や分解方法についてはその説明を省略する。
【００４５】
まず，ＰＣＢ組立体６０をパネル支持部材４０のＰＣＢ組立体の受容空間４７に配置及び結合し，ＬＣＤパネル３０の有効面が前方カバー１０の方向に向けてＬＣＤパネル３０を配置した後，ＬＣＤパネル３０をＰＣＢ組立体６０と相互に電気的に連結し，ＬＣＤパネル３０をパネル支持部材４０と結合する。
【００４６】
次に，前方カバー１０の第１結合片１５に補強プレート８０を結合し，ＰＣＢ組立体６０及びＬＣＤパネル３０を含むパネル支持部材４０の係止突起４１を前方カバー１０の第１結合片１５と結合されている補強プレート８０の開口部８４にスナップ結合させる。このことにより，前方カバー１０と，パネル支持部材４０とが結合される。
【００４７】
次いで，前方カバー１０の第２結合片１７の係止部１９に，後方カバー２０の係止フック２１を結合させることにより，簡単に組立てることができる。
【００４８】
一方，ディスプレイ装置の修理などのために，ディスプレイ装置を分解する場合には，後方カバー２０に形成された各解除貫通孔２９に例えばドライバなどの長い工具を挿入して，各係止フック２１が第２結合片１７の係止部１９から離脱されるようにして，前方カバー１０から後方カバー２１を分離する。次に，補強プレート８０の開口部８４とパネル支持部材４０の係止突起４１とが係止されている部分を前方カバー１０のスカート部１３の外方向に加圧して，前方カバー１０とパネル支持部材４０とを分離することができる。
【００４９】
以上で説明したように，パネル支持部材４０がＬＣＤパネル３０とＰＣＢ組立体６０とを共に受容しているので，前方カバー１０とパネル支持部材４０を分離すると同時にＬＣＤパネル３０及びＰＣＢ組立体６０を全て観察できるので，容易に修理することができる。
【００５０】
本実施形態においては，補強プレート８０は，第１結合片１５を補強して前方カバー１０の強度が高められるので，ディスプレイ装置の寿命が延長されると共に，ＰＣＢ組立体６０で発生する電磁波を補強プレート８０に接地させてＥＭＩ遮断効果を有することができ，かつ前方カバー１０とパネル支持部材４０及び後方カバー２０の組立及び分解を容易に行うことができる。さらに，第１結合片１５及び第２結合片１７が占める空間が狭いので，スリム化及びコンパクト化を実現することができる。
【００５１】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００５２】
【発明の効果】
組立時間及び分解時間を短縮することができるディスプレイ装置が提供される。また，外見のスリム化及びコンパクト化を実現することができる。さらに，ＥＭＩ効果を高め，寿命を延長することができる。
【００５３】
【図面の簡単な説明】
【図１】第１の実施の形態にかかるディスプレイ装置の構成を示す斜視図である。
【図２】第１の実施の形態にかかるディスプレイ装置の構成を示す分解斜視図である。
【図３】第１の実施の形態にかかるディスプレイ装置の前方カバーとパネル支持部材との間の拡大斜視図である。
【図４】第１の実施の形態にかかるディスプレイ装置の前方カバーとパネル支持部材との間の拡大斜視図である。
【図５】第１の実施の形態にかかるディスプレイ装置の前方カバーと後方カバーとの間の拡大斜視図である。
【図６】第１の実施の形態にかかるディスプレイ装置の前方カバーと後方カバーとの間の拡大斜視図である。
【図７】従来におけるディスプレイ装置の構成を示す斜視図である。
【図８】従来におけるディスプレイ装置の構成を示す分解斜視図である。
【符号の説明】
１０　前方カバー
１５　結合片
２０　後方カバー
３０　ＬＣＤパネル
４０　パネル支持部材
４１　係止突起
４９　支持突起
６０　ＰＣＢ組立体
７０　スタンド
８０　補強プレート
８１　補強部
８５　接地部
【図１】
2004013152.tif 000003
【図２】
2004013152.tif 000004
【図３】
2004013152.tif 000005
【図４】
2004013152.tif 000006
【図５】
2004013152.tif 000007
【図６】
2004013152.tif 000008
【図７】
2004013152.tif 000009
【図８】
2004013152.tif 000010